(57)【特許請求の範囲】
【請求項１】
既設の連続したコンクリート構造物の中間部における解体・撤去区間に緊張状態のまま露出して残るＰＣ緊張材を定着するＰＣ緊張材の中間定着具において、
ＰＣ緊張材の周囲を所定の環状すきまを保って挟み込む半割りスリーブを合わせてなる筒状部材と、開口部を有し筒状部材の外周に順に嵌め込まれて筒状部材を補強する複数個の板状Ｃ形部材とを有し、前記板状Ｃ形部材は開口部を備え、筒状部材の全長に亘って外挿された状態で、隣接する板状Ｃ形部材の開口部が筒状部材の周方向にずれて配設されることを特徴とするＰＣ緊張材の中間定着具。
【請求項２】
請求項１に記載のＰＣ緊張材の中間定着具において、
前記筒状部材内の環状すきまに充填された膨張材の膨張圧により発生する摩擦力によってＰＣ緊張材を定着することを特徴とするＰＣ緊張材の中間定着具。
【請求項３】
既設の連続したコンクリート構造物の中間部における解体・撤去区間に緊張状態のまま露出して残るＰＣ緊張材を定着するＰＣ緊張材の中間定着方法であって、請求項１又は２に記載の中間定着具を用い、前記緊張状態のまま露出して残るＰＣ緊張材の周囲に所定の環状すきまを保って挟み込む半割りスリーブを合わせるようにして筒状部材を配置し、開口部を有する複数の板状Ｃ形部材を筒状部材に外挿すると共に、隣接する板状Ｃ形部材を周方向にずらして配置した後、前記筒状部材内の環状すきまに膨張材を充填してＰＣ緊張材を定着することを特徴とするＰＣ緊張材の中間定着方法。
【発明の詳細な説明】
【技術分野】
【０００１】
本発明は、コンクリート構造物における緊張材の中間定着具および定着方法に関する。
【背景技術】
【０００２】
従来、コンクリート構造物にプレストレスを付与する緊張材をコンクリートに定着する方法に関しては、例えば、特許文献１〜３に開示された構造・方法が知られている。いずれも緊張材とそれを取り巻く環状定着具との隙間に膨張材を流し込み、膨張圧がでた段階で、定着具に引張負荷をかけるようにしている。緊張材は膨張材の膨張圧による摩擦力で定着される。しかし、これらの定着方法は、緊張材に露出している端末がある場合の定着構造・方法であって、以下に示すような連続していて端末がない場合の緊張材の中間部における定着に適用することはできない。
【０００３】
すなわち、図４に示すような、既設の連続したコンクリート構造物２１の端部から中央寄りに離れた部分で、ある区間を解体・撤去するような工事を行う場合に、その解体・撤去部２２の両側のコンクリートにおいて、解体前にＰＣ鋼材等の緊張材２３により付与されていたプレストレスを、解体後も維持すべく緊張材２３を継続使用する際の中間定着工法への適用は考慮されていない。
【０００４】
一方、長尺の緊張材２３の中間部における定着方法として、例えば図５（ａ）〜（ｃ）に示すような方法が知られている。この方法では、解体により露出した緊張材２３の根元部を、２個の鋼製ブロック２４，２５で挟んでボルト締めし、両ブロック２４，２５をコンクリート２６に定着する。両ブロック２４，２５の対向面には緊張材２３を挟み込む溝２７が形成されている。しかし、この方法では、緊張材２３の径に応じた寸法に溝２７を加工する必要があるなどブロック２４，２５の加工が面倒であると共に、例えば、緊張材２３を挟んでブロック２４，２５を締め付けるボルト本数が８〜１２本程度必要となり、ブロック２４，２５の長さが３０ｃｍ程度で、質量が約２５ｋｇとなるような場合があって、そのセット作業が２人がかりとなったり、ボルト締めに電動工具が必要となって作業が大変になるという問題がある。
【特許文献１】特公平７−６８７７１号公報
【特許文献２】特開平３−１８３８４９号公報
【特許文献３】特開平４−１６６７５号公報
【発明の開示】
【発明が解決しようとする課題】
【０００５】
そこで、本発明は、軽量で締め付け作業も不要であって、１人での作業が可能となり、施工性に優れる緊張材の中間定着具および定着方法を提供することを目的とする。
【課題を解決するための手段】
【０００６】
第１発明のＰＣ緊張材の中間定着具では、既設の連続したコンクリート構造物の中間部における解体・撤去区間に緊張状態のまま露出して残るＰＣ緊張材を定着するＰＣ緊張材の中間定着具において、
ＰＣ緊張材の周囲を所定の環状すきまを保って挟み込む半割りスリーブを合わせてなる筒状部材と、開口部を有し筒状部材の外周に順に嵌め込まれて筒状部材を補強する複数個の板状Ｃ形部材とを有し、前記板状Ｃ形部材は開口部を備え、筒状部材の全長に亘って外挿された状態で、隣接する板状Ｃ形部材の開口部が筒状部材の周方向にずれて配設されることを特徴とする。
【０００８】
第２発明では、第１発明のＰＣ緊張材の中間定着具において、筒状部材内の環状すきまに充填された膨張材の膨張圧により発生する摩擦力によってＰＣ緊張材を定着することを特徴とする。
【０００９】
第３発明のＰＣ緊張材の中間定着方法では、既設の連続したコンクリート構造物の中間部における解体・撤去区間に緊張状態のまま露出して残るＰＣ緊張材を定着するＰＣ緊張材の中間定着方法であって、請求項１又は２に記載の中間定着具を用い、前記緊張状態のまま露出して残るＰＣ緊張材の周囲に所定の環状すきまを保って挟み込む半割りスリーブを合わせるようにして筒状部材を配置し、開口部を有する複数の板状Ｃ形部材を筒状部材に外挿すると共に、隣接する板状Ｃ形部材を周方向にずらして配置した後、前記筒状部材内の環状すきまに膨張材を充填してＰＣ緊張材を定着することを特徴とする。
【発明の効果】
【００１０】
第１発明によると、ＰＣ緊張材を挟み込む半割の筒状部材と、筒状部材の外周に複数に分割されたＣ形部材を嵌め込む簡単な構造であるので、部材が軽量で１人での作業が可能となる。また、ボルト締めする必要も無いため施工性が非常に優れるという効果が得られる。
【００１１】
第１発明によると、Ｃ形部材が開口部を有するのでＰＣ緊張材に沿って嵌め込み易く、また、隣接するＣ形部材の開口部を筒状部材の周方向にずらすので、筒状部材の補強を効果的に行うことができる。
【００１２】
第２発明によると、ＰＣ緊張材を挟んだ筒状部材の外周にＣ形部材が嵌め込まれて補強しているので、膨張材の膨張圧によるＰＣ緊張材の定着が確実になされる。
【００１３】
第３発明によると、第１発明又は第２発明の中間定着具を用いてＰＣ緊張材を定着するので、各発明のいずれかによる効果が得られる。
【発明を実施するための最良の形態】
【００１４】
次に、本発明を図示の実施形態に基づいて詳細に説明する。本実施形態は、先に背景技術の項で述べた場合と同じく、連続したコンクリート構造物の一部区間を解体・撤去する工事に適用される場合を示す。
【００１５】
図１は本実施形態の中間定着具１の取り付け完了状態における全体概要と各構成部材の概要を示す図である。（ａ）は取り付け完了状態の正面断面図、（ｂ）は構成部材の正面断面図と側面図、（ｃ）は構成部材それぞれの側面図である。
【００１６】
図２は取り付け完了状態の中間定着具１の外観図を示す。（ａ）は正面図、（ｂ）は側面図、（ｃ）は構成部材の側面図である。
【００１７】
図１に示すように、中間定着具１は、つぎの部材から構成される。すなわち芯部に配設される所定長さの半割りスリーブ２ａを合わせてなる筒状部材としての鋼管スリーブ２、その外周に嵌め込まれる複数個の板状Ｃ形部材としてのＣ形スリーブ４（図２ａ参照）、鋼管スリーブ２の両端にそれぞれ配設される半割りの密閉用鋼板３とから構成される。
2個の半割りスリーブ２ａは、取り付け時に貼り合わされ、鋼管スリーブ２はパイプ状を呈する。鋼管スリーブ２の端部には図２（ａ）に示すように、それぞれ膨張材（後述）注入孔５と空気排出孔６が、鋼管スリーブ２の壁に設けられている。
Ｃ形スリーブ４は、Ｃ字形に形成された所定厚さの鋼板からなり、複数個用いられる。Ｃ字形の開口部４ａは取り付け用に設けられたものである。前記のＣ形スリーブ４の開孔部４ａのスリット幅は、ＰＣ鋼材７の直径寸法よりも大きく、鋼管スリーブ２の外径よりも小さくされている。
【００１８】
中間定着具１を取り付ける前に、工事現場では、シースおよびＰＣ緊張材としてのＰＣ鋼材７の周りを、工具を使用してあるいは手はつりで除去し、ＰＣ鋼材７を露出させる。ＰＣ鋼材７の表面に付着しているグラウト等を取り除き、後述する膨張材の付着性能を高める。
【００１９】
図３は中間定着具１の取り付け状況を示す説明図である。工事現場において上記の構成部材を順次取り付けていって中間定着具１が構成される。すなわち、露出しているＰＣ鋼材７の周囲に、図３に示す鋼管スリーブ２の半割りスリーブ２ａを配置し、矢印Ｂで示すようにＰＣ鋼材７を挟んで合わせ、合わせ目に止水用両面テープ８を貼る。鋼管スリーブ２の内周とＰＣ鋼材７との間には所定の径方向隙間が確保される。鋼管スリーブ２の両端の凹部に半割りの密閉用鋼板３を適宜取り付ける。前記密閉用鋼鈑３の内面あるいは外面には、適宜漏洩防止ゴム材が設けられて、ＰＣ鋼材７と鋼製スリ−ブ２との間から膨脹材の漏洩を防止するようにしている。こうして、ＰＣ鋼材７と中間定着具１（鋼管スリーブ２）との間に密閉状の環状すきまとしての空間部９が形成される。
【００２０】
ついで、図３に矢印Ａで示すようにＣ形スリーブ４をＰＣ鋼材７に外挿し、それに沿って移動させて１個ずつ順に鋼管スリーブ２上にはめ込む。このとき隣接するＣ形スリーブ４の開口部４ａを周方向に１８０度ずらせてはめ込む。このとき、両端に配置されたＣ形スリーブ４の開口部４ａに、鋼管スリーブ２の端部に設けられた注入孔５と排出孔６が、通じるようにＣ形スリーブ４を配設する。そして、中間定着具１と継続使用する構造物の端部１２との間に、スリット付支圧板１０あるいは半割り支圧板１０等を隙間無く取り付ける。
【００２１】
この状態で注入孔５から空間部９に膨張材１１を注入する。膨張材１１が空気排出孔６から排出された段階で注入を完了する。膨張材１１の硬化膨張によって発生する高膨張圧によってＰＣ鋼材７が強固に定着される。解体・撤去部分の反対側についても同じ方法で中間定着具１を取り付ける。
そして、最後に解体・撤去部分のＰＣ鋼材７を切断する。こうして、残存する部分のＰＣ鋼材７は中間定着具１により緊張力が保持された状態で定着される。
【図面の簡単な説明】
【００２２】
【図１】（ａ）は取り付け完了状態の正面断面図、（ｂ）は構成部材の正面断面図と側面図、（ｃ）は構成部材それぞれの側面図である。
【図２】（ａ）は正面図、（ｂ）は側面図、（ｃ）は構成部材の側面図である。
【図３】中間定着具の取り付け状況を示す説明図である。
【図４】既設の連続したコンクリート構造物の一部区間を解体・撤去する背景技術の一例を示す説明図である。
【図５】（ａ）はコンクリート構造物端部の側面図、（ｂ）はブロック式中間定着具、（ｃ）はボルト締め付け前のＣ矢視図である。
【符号の説明】
【００２３】
１  中間定着具
２  鋼管スリーブ (筒状部材)
２ａ  半割りスリーブ
３  密閉用鋼板
４  Ｃ形スリーブ(Ｃ形部材)
４ａ  Ｃ形スリーブの開口部
５  膨張材注入孔
６  空気排出孔
７  ＰＣ鋼材(ＰＣ緊張材)
８  止水用両面テープ
９  空間部(環状すきま)
１０  支圧板等
１１  膨張材
１２  構造物の端部
２１  連続したコンクリート構造物
２２  解体・撤去部
２３  緊張材
２４、２５  鋼製ブロック
２６  コンクリート
２７  溝
【図１】
0004779093.tif 000002
【図２】
0004779093.tif 000003
【図３】
0004779093.tif 000004
【図４】
0004779093.tif 000005
【図５】
0004779093.tif 000006